【手続補正書】
【提出日】平成19年5月30日(2007.5.30)
【手続補正１】
【補正対象書類名】特許請求の範囲
【補正対象項目名】請求項１
【補正方法】変更
【補正の内容】
【請求項１】
外線に接続され複数の内線回路を収容するコードレス電話主装置と、該コードレス電話主装置の内線回路に接続されるコードレス電話親機と、該コードレス電話親機との間で無線通信するコードレス電話子機とからなるコードレス電話システムにおいて、
コードレス電話主装置は、システム構築時であって内線回路にコードレス電話親機が接続されたときに、接続されたコードレス電話親機に対して呼び出し符号を要求する機能と、取得した呼び出し符号を内線回路部の収容番号データに対応させて記憶する機能と、接続されたコードレス電話親機が呼び出し符号を持っていないときに、前記呼び出し符号を持っているコードレス電話親機から取得した呼び出し符号を、呼び出し符号を持っていないコードレス電話親機に通知する機能とを有し、
コードレス電話親機は、収容番号データと呼び出し符号データが登録される親機運用データを有し、呼び出し符号データが付与されているときにコードレス電話主装置からの呼び出し符号要求に対して呼び出し符号を通知する機能と、呼び出し符号データが付与されていないときにコードレス電話主装置から送られてくる収容番号データおよび呼び出し符号データを親機運用データとして格納する機能とを有する
ことを特徴とするコードレス電話システム。
【手続補正２】
【補正対象書類名】特許請求の範囲
【補正対象項目名】請求項２
【補正方法】変更
【補正の内容】
【請求項２】
外線に接続され複数の内線回路を収容するコードレス電話主装置と、該コードレス電話主装置の内線回路に接続されるコードレス電話親機と、該コードレス電話親機との間で無線通信するコードレス電話子機とからなるコードレス電話システムにおいて、
コードレス電話主装置は、子機登録モードにあるコードレス電話親機が接続されたときに、子機登録モードにあるコードレス電話親機を経由して登録する子機から送られてきた登録する子機の端末符号データと、コードレス電話親機を経由して子機に通知する呼び出し符号データと、コードレス電話親機を経由して登録する子機から送られてきた内線番号を対応付けて子機運用データとして格納する機能を有し、
コードレス電話子機は、端末符号データと、呼び出し符号データと、内線電話番号データとからなる子機運用データとして格納する機能を有する
ことを特徴とするコードレス電話システム。
【手続補正３】
【補正対象書類名】特許請求の範囲
【補正対象項目名】請求項３
【補正方法】変更
【補正の内容】
【請求項３】
外線に接続され複数の内線回路を収容するコードレス電話主装置と、該コードレス電話主装置の内線回路に接続されるコードレス電話親機と、該コードレス電話親機との間で無線通信するコードレス電話子機とからなるコードレス電話システムの親機登録方法において、
システム構築時に、コードレス電話主装置は、内線回路にコードレス電話親機が接続されたことを監視し、内線回路にコードレス電話親機が接続されると、このコードレス電話親機に対して呼び出し符号を要求し、コードレス電話親機から取得した呼び出し符号を内線回路部の収容番号データに対応させて記憶することを特徴とするコードレス電話システムの親機登録方法。
【手続補正４】
【補正対象書類名】特許請求の範囲
【補正対象項目名】請求項５
【補正方法】変更
【補正の内容】
【請求項５】
外線に接続され複数の内線回路を収容するコードレス電話主装置と、該コードレス電話主装置の内線回路に接続されるコードレス電話親機と、該コードレス電話親機との間で無線通信するコードレス電話子機とからなるコードレス電話システムの子機登録方法において、
コードレス電話主装置は、子機登録モードにあるコードレス電話親機が接続されたときに、子機登録モードにあるコードレス電話親機を経由して登録する子機から送られてきた登録する子機の端末符号データを登録し、呼び出し符号データを、コードレス電話親機を経由して子機に通知し、コードレス電話親機を経由して登録する子機から送られてきた内線番号を対応付けて子機運用データとして格納することを特徴とするコードレス電話システムの子機登録方法。
【手続補正５】
【補正対象書類名】明細書
【補正対象項目名】発明の名称
【補正方法】変更
【補正の内容】
【発明の名称】コードレス電話システムおよび該システムにおける親機と子機登録方法
【手続補正６】
【補正対象書類名】明細書
【補正対象項目名】０００２
【補正方法】変更
【補正の内容】
【０００２】
通信システムにおいて、親機と子機の間で混信なく通信を行うために、親機および子機各々のＩＤ番号などを互いに通知し記憶する登録操作が行われている。この登録操作以後、通信を行う際にはこれらのＩＤ番号等をお互いに確認した後に通信路を開くことで誤接続を防止している。登録を行う方法としては、（１）工場から出荷するときに特殊な治具等を用いて予め登録操作を行う方法や、（２）子機の通話ボタンやダイヤルキーの特定の数字を押下しながら電源を入れるなどの所定の登録モード設定操作後に登録操作を行うことで任意に子機と親機との通信を可能にする方法がある。また、（３）一般的に使用における登録操作では、親機と子機とを並列して操作しながら必要なパスワード等の入力を行う誤登録防止方法を採用していた。
【手続補正７】
【補正対象書類名】明細書
【補正対象項目名】０００３
【補正方法】変更
【補正の内容】
【０００３】
これらの方法においては、（１）の方法では、機器をいったん工場などに戻し再登録を行わなければならず、（２）の方法では、子機の内に通話ボタンやダイヤルキーなどの入力手段を持たない構造には適用することができず、（３）の方法では、親機とはなれたところにある情報処理装置に接続して使用する形態の子機のときには親機と子機とを並列して操作することは困難であるという問題がある。
【手続補正８】
【補正対象書類名】明細書
【補正対象項目名】０００４
【補正方法】変更
【補正の内容】
【０００４】
これらの問題を解決するために、ユーザが子機と親機の登録の新規設定および再設定を自由に行うことができ、さらに、その新規設定や設定の際に必要な入力手段を子機、親機ともに備えておく必要性をなくし、親機と子機を並列して操作する必要もない通信システムが提案されている（例えば、特許文献１参照）。
【手続補正９】
【補正対象書類名】明細書
【補正対象項目名】００１４
【補正方法】変更
【補正の内容】
【００１４】
すなわち、本発明は、外線に接続され複数の内線回路を収容するコードレス電話主装置と、該コードレス電話主装置の内線回路に接続されるコードレス電話親機と、該コードレス電話親機との間で無線通信するコードレス電話子機とからなるコードレス電話システムにおいて、コードレス電話主装置は、システム構築時であって内線回路にコードレス電話親機が接続されたときに、接続されたコードレス電話親機に対して呼び出し符号を要求する機能と、取得した呼び出し符号を内線回路部の収容番号データに対応させて記憶する機能と、接続されたコードレス電話親機が呼び出し符号を持っていないときに、前記呼び出し符号を持っているコードレス電話親機から取得した呼び出し符号を、呼び出し符号を持っていないコードレス電話親機に通知する機能とを有し、コードレス親機は、収容番号データと呼び出し符号データが登録される親機運用データを有し、呼び出し符号データが付与されているときにコードレス電話主装置からの呼び出し符号要求に対して呼び出し符号を通知する機能と、呼び出し符号データが付与されていないときにコードレス電話主装置から送られてくる収容番号データおよび呼び出し符号データを親機運用データとして格納する機能とを有する。
【手続補正１０】
【補正対象書類名】明細書
【補正対象項目名】００１５
【補正方法】変更
【補正の内容】
【００１５】
さらに、本発明は、外線に接続され複数の内線回路を収容するコードレス電話主装置と、該コードレス電話主装置の内線回路に接続されるコードレス電話親機と、該コードレス電話親機との間で無線通信するコードレス電話子機とからなるコードレス電話システムにおいて、コードレス電話主装置は、子機登録モードにあるコードレス電話親機が接続されたときに、子機登録モードにあるコードレス電話親機を経由して登録する子機から送られてきた登録する子機の端末符号データと、コードレス電話親機を経由してコードレス電話子機に通知する呼び出し符号データと、コードレス電話親機を経由して登録するコードレス電話子機から送られてきた内線番号を対応付けて子機運用データとして格納する機能を有し、コードレス電話子機は、端末符号データと、呼び出し符号データと、内線電話番号データとからなる子機運用データとして格納する機能を有する。
【手続補正１１】
【補正対象書類名】明細書
【補正対象項目名】００１６
【補正方法】変更
【補正の内容】
【００１６】
本発明は、外線に接続され複数の内線回路を収容するコードレス電話主装置と、該コードレス電話主装置の内線回路に接続されるコードレス電話親機と、該コードレス電話親機との間で無線通信するコードレス電話子機とからなるコードレス電話システムの親機登録方法において、システム構築時に、コードレス電話主装置が、内線回路にコードレス電話親機が接続されたことを監視し、内線回路にコードレス電話親機が接続されると、このコードレス電話親機に対して呼び出し符号を要求し、コードレス電話親機から取得した呼び出し符号を内線回路部の収容番号データに対応させて記憶する。
【手続補正１２】
【補正対象書類名】明細書
【補正対象項目名】００１８
【補正方法】変更
【補正の内容】
【００１８】
本発明は、外線に接続され複数の内線回路を収容するコードレス電話主装置と、該コードレス電話主装置の内線回路に接続されるコードレス電話親機と、該コードレス電話親機との間で無線通信するコードレス電話子機とからなるコードレス電話システムの子機登録方法において、コードレス電話主装置は、子機登録モードにあるコードレス電話親機が接続されたときに、子機登録モードにあるコードレス電話親機を経由して登録するコードレス電話子機から送られてきた登録する子機の端末符号データを登録し、呼び出し符号データを、コードレス電話親機を経由してコードレス電話子機に通知し、コードレス電話親機を経由して登録するコードレス電話子機から送られてきた内線番号を対応付けて子機運用データとして格納する。